(57)【要約】【課題】霜取り運転中に暖気が貯蔵室内に入らないようにすることにより、貯蔵室内の温度変動を抑制し、食品からの水分昇華とそれに伴う食品の乾燥、酸化を防ぎ高品質に食品を保存することができる冷蔵庫を提供する。【解決手段】貯蔵室と、冷却器３および冷気を送風するファン２と冷却器の除霜手段２２を収納する冷却器室６００とを備えた冷蔵庫において、冷却器室と貯蔵室とをつなぐ冷気供給用の風路内に設置された入口ダンパ１１、１２、１３、１４と、貯蔵室から冷却器室へ冷気が戻る帰還路内に設置された出口ダンパ１５、１６、１７、１８とを備え、冷却器の霜取り運転中、前記入口ダンパおよび前記出口ダンパの全部または一部が閉じるようにする。【選択図】図４
2009250476.tif 000002
【特許請求の範囲】
【請求項１】
貯蔵室と、冷却器および冷気を送風するファンと前記冷却器の除霜手段を収納する冷却器室とを備えた冷蔵庫において、
前記冷却器室と前記貯蔵室とをつなぐ冷気供給用の風路内に設置された入口ダンパと、前記貯蔵室から前記冷却器室へ冷気が戻る帰還路内に設置された出口ダンパとを備え、前記冷却器の霜取り運転中、前記入口ダンパおよび前記出口ダンパの全部または一部が閉じることを特徴とする冷蔵庫。
【請求項２】
貯蔵室と、冷却器および冷気を送風するファンと前記冷却器の除霜手段を収納する冷却器室とを備えた冷蔵庫において、
前記冷却器室と前記貯蔵室とをつなぐ冷気供給用の風路内に設置された入口ダンパと、前記貯蔵室から前記冷却器室へ冷気が戻る帰還路内に設置された出口ダンパとを備え、前記冷却器の霜取り運転中、前記貯蔵室のうち所定温度以下に設定された貯蔵室には冷気が入らないように当該貯蔵室の前記入口ダンパおよび前記出口ダンパが閉じることを特徴とする冷蔵庫。
【請求項３】
貯蔵室と、冷却器および冷気を送風するファンと前記冷却器の除霜手段を収納する冷却器室とを備えた冷蔵庫において、
前記冷却器室と前記貯蔵室とをつなぐ冷気供給用の風路内に設置された入口ダンパと、前記貯蔵室から前記冷却器室へ冷気が戻る帰還路内に設置された出口ダンパと、前記冷却器室の温度を検知する冷却器室温度検知器とを備え、前記冷却器室温度検知器により、前記冷却器室の温度が所定温度以上になったことを検知した場合には、前記入口ダンパおよび前記出口ダンパが閉じ、前記冷却器室の温度が所定温度以下になったことを検知した場合には、前記入口ダンパおよび前記出口ダンパが開くことを特徴とする冷蔵庫。
【請求項４】
前記ファンにシャッターを設け、前記冷却器の霜取り運転中、前記シャッターが閉じることを特徴とする請求項１記載の冷蔵庫。
【請求項５】
前記貯蔵室内に保冷剤を設けたことを特徴とする請求項１乃至４のいずれかに記載の冷蔵庫。
【請求項６】
前記貯蔵室内に温度検知器を設け、前記温度検知器により前記貯蔵室の温度が所定温度以上になったことを検知した場合には報知することを特徴とする請求項１乃至５のいずれかに記載の冷蔵庫。
【請求項７】
前記除霜手段が、前記冷却器に付着した霜をマイクロ波で除去するマグネトロンにより構成されていることを特徴とする請求項１乃至６のいずれかに記載の冷蔵庫。
【請求項８】
前記マグネトロンの使用時間を記録する計時部を設け、総使用時間が所定時間以上になった場合には報知することを特徴とする請求項７記載の冷蔵庫。
【発明の詳細な説明】
【技術分野】
【０００１】
本発明は、食品を貯蔵するための冷蔵庫に関し、特に霜取り運転中に暖気が貯蔵室内に入らないようにした冷蔵庫に関するものである。
【背景技術】
【０００２】
従来、冷蔵庫の温度制御は、通常運転と霜取り運転のいずれにおいても圧縮機および冷気送風ファンのＯＮ／ＯＦＦのみで制御される方式であった。この方式では霜取り運転中に霜取りヒータにより加熱された冷却器近傍の空気が貯蔵室に流入し、貯蔵室の温度を上昇させる問題があった。この改善策として貯蔵室の冷気吹き出し口手前にダンパを設け、各ダンパを制御して風量の適正化を行うと共に、霜取り運転中は冷気吹き出し口手前のダンパを閉め、加熱された空気が貯蔵室に流入することを防ぐ方式が提案されている（例えば、特許文献１参照）。
【０００３】
【特許文献１】特開２００２−３１４６６号公報（第３−４頁、図１−図３）
【発明の開示】
【発明が解決しようとする課題】
【０００４】
しかしながら、冷蔵庫には冷却器から貯蔵室へ冷気を供給する風路があるだけでなく、各貯蔵室から冷却器へ冷気が戻る帰還路がある。さらに前記帰還路を介して冷却器へ戻った空気は、冷却器によって効率よく冷却される必要があることから、帰還路の出口は冷却器の下部になるよう設置されているが、この出口は霜取りヒータの近傍に位置している。したがって、特許文献１に代表される構成によると、霜取りヒータによって暖められた空気が風路入口から貯蔵室へ流入することを防ぐことはできるが、帰還路から貯蔵室へ流入することを防ぐことができないために貯蔵室の温度が上昇するという課題があった。
【０００５】
本発明は、上記のような課題を解決するためになされたもので、霜取り運転中に暖気が貯蔵室内に入らないようにすることにより、貯蔵室内の温度変動を抑制し、食品からの水分昇華とそれに伴う食品の乾燥、酸化を防ぎ高品質に食品を保存することができる冷蔵庫を提供するものである。
【課題を解決するための手段】
【０００６】
本発明に係る冷蔵庫は、貯蔵室と、冷却器および冷気を送風するファンと前記冷却器の除霜手段を収納する冷却器室とを備えた冷蔵庫において、前記冷却器室と前記貯蔵室とをつなぐ冷気供給用の風路内に設置された入口ダンパと、前記貯蔵室から前記冷却器室へ冷気が戻る帰還路内に設置された出口ダンパとを備え、前記冷却器の霜取り運転中、前記入口ダンパおよび前記出口ダンパの全部または一部が閉じるようにするものである。
【発明の効果】
【０００７】
本発明によれば、霜取り時に霜取りヒータなどによって暖められた冷却器近傍の空気が風路や帰還路から貯蔵室へ流入することを防ぐことができ、貯蔵室の温度上昇を抑制することができるという効果がある。したがって、貯蔵室の温度上昇が抑制されるため、霜取り終了後、貯蔵室が冷却された時に生じる貯蔵室と食品の温度差、つまり蒸気圧差による食品からの水分昇華を抑制することができ、水分昇華に伴う食品の乾燥、酸化を防ぎ高品質に食品を保存することができる冷蔵庫を実現できる。
【発明を実施するための最良の形態】
【０００８】
まず、冷蔵庫運転時の貯蔵室および貯蔵室に保存した食品の温度変化と、温度変化に伴う食品からの水分昇華について説明する。
図１（ａ）は、本発明により制御された冷蔵庫における貯蔵室および貯蔵室に保存した食品の温度変化を、図１（ｂ）は、従来制御の冷蔵庫における貯蔵室および貯蔵室に保存した食品の温度変化を示したグラフである。グラフの縦軸は温度であり、グラフ上方に向かうほど温度は上がる。横軸は時間であり右に向かうほど時間は経過する。
【０００９】
冷蔵庫は圧縮機および冷気送風ファンのＯＮ／ＯＦＦを利用して温度制御されているため、貯蔵室の温度は上昇と下降を繰り返す。また、霜取り運転時は除霜ヒータの加熱により貯蔵室では大幅な温度上昇と下降が発生する。貯蔵室でこのような温度変動が起こった時、その貯蔵室に保存した食品の温度は、貯蔵室の温度変動から少し遅れ、かつ変動幅は小さいものの、同様の温度変動を示すため、貯蔵室と食品との間に温度差、いわゆる水蒸気圧差が生じる。つまり貯蔵室の温度が上昇し高くなった時に食品温度が低い状況と、貯蔵室の温度が下降し低くなった時に食品温度が高い状況とが発生する。前者における水蒸気圧の関係は、食品より貯蔵室の方が高く、後者における水蒸気圧の関係は貯蔵室より食品の方が高い。食品からの水分昇華は、後者の食品の水蒸気圧が貯蔵室より高い時、つまり食品の温度が貯蔵室の温度より高い状況で起こる。
【００１０】
さらに、水蒸気圧は温度上昇に伴って高くなるため、食品からの水分昇華量は、食品温度が高くなれば高くなるほど、また貯蔵室との温度差が大きいほど多くなる。以上のことから、食品からの水分昇華を抑制するためには、食品の温度変動つまり食品を保存する貯蔵室の温度変動を小さくして貯蔵室と食品の温度差を小さくし、食品の水蒸気圧が貯蔵室より高くなる時間を少なくすることが必要であるといえる。したがって、図１（ａ）に示すように、本発明により温度制御された冷蔵庫は貯蔵室の温度変動幅が小さく、食品の水蒸気圧が貯蔵室より高くなる時間も少ないため、食品からの水分昇華を抑制することができる。
【００１１】
（実施の形態１）
以下、本発明に係る冷蔵庫の好適な実施の形態について添付図面を参照して説明する。尚、以下に示す各図面において同一の構成要素は同一の符号を付して表すものとする。
図２は、本発明の実施の形態１における冷蔵庫の構造を示す側面断面図である。図２において、冷蔵庫１の食品貯蔵室は、最上部に開閉ドアを備えて配置される冷蔵室１００と、冷蔵室１００の下方に冷凍温度帯（設定温度−１８℃）から冷蔵、野菜、チルド、ソフト冷凍（設定温度−７℃）などの温度帯に切り替えることのできる引き出しドアを備える切替室２００、切替室２００と並列に引き出しドアを備える製氷室５００と、最下部に引き出しドアを備えて配置される冷凍室３００と、切替室２００と冷凍室３００との間に引き出しドアを備えて配置される野菜室４００等とから構成される。冷蔵庫１００の扉表面には、各室の温度や設定を調節する操作スイッチと、そのときの各室の温度を表示する液晶などから構成される操作パネル５が設けられている。
【００１２】
冷蔵庫１の背面側には、冷凍サイクルを構成する圧縮機１０及び冷却器３を収納する冷却器室６００が配置され、さらに、冷却器３により生成された冷気を冷蔵室１００や冷凍室２００に送風するためのファン２と、冷却器３により生成された冷気を各貯蔵室内に導入するための風路４とが設けられている。また、冷却器３の下方には霜取りヒータなどからなる除霜手段２２が設置されている。
【００１３】
なお、切替室２００には、引き出し可能に設けられ上面が開放された切替ケース２０１が設置されており、そのケース内に食品を収容することができる。同様に、冷凍室３００には冷凍ケース３０１が、野菜室４００には野菜ケース４０１がそれぞれ設置されており、それぞれのケース内に食品を収容することができる。
【００１４】
図３は、本発明の実施の形態１における冷蔵庫の風路構成を示す冷蔵庫の概略側面断面図である。冷却器３で冷却された冷気の一部は、冷凍室３００に送風される。また、残りの冷気は風路４を通り、切替室２００に送風される。さらに風路４を通った一部の冷気は上段の冷蔵室１００へと送風され冷蔵室１００を冷却する。野菜室４００は、冷蔵室１００の戻り冷気が冷蔵室用帰還路６より循環されて冷却され、野菜室４００を通った空気は、野菜室用帰還路７を経て冷却器室６００に戻る。なお、各貯蔵室には冷気の吹き出し口と排出口が設けられている。但し、野菜室４００は冷蔵室用帰還路６が冷気の吹き出し口を兼ねており、また野菜室用帰還路７が排気口を兼ねている。
【００１５】
図４は、本発明の実施の形態１における冷蔵庫の風路構成を示す正面全体図である。図４に示すように、冷却器室６００から各貯蔵室につながる風路４は４方向に分かれている。冷却器室６００と冷蔵室１００とをつなぐ冷蔵室風路４１内には、入口ダンパとして冷蔵室用風路ダンパ１１が設置されており、除霜手段２２による冷却器３の霜取り運転中、そのダンパ１１を閉じることにより暖気の流入を防ぐことができる。同様に、冷却器室６００と切替室２００をつなぐ切替室風路４２内には同じく入口ダンパとして切替室用風路ダンパ１２が、冷却器室６００と冷凍室３００をつなぐ冷凍室風路４３内には入口ダンパとして冷凍室用風路ダンパ１３が、冷却器室６００と製氷室５００をつなぐ製氷室風路４４内には入口ダンパとして製氷室用風路ダンパ１４がそれぞれ設置されており、冷却器３の霜取り運転中にはそれぞれのダンパを閉じることにより、暖気の流入を防ぐことができる。
【００１６】
また、切替室２００と冷却器室６００とをつなぐ切替室用帰還路８内には出口ダンパとして切替室用帰還路ダンパ１５が設置されており、冷却器３の霜取り運転中、そのダンパ１５を閉じることにより、帰還路からの暖気の流入を防ぐことができる。同様に、冷凍室３００と冷却器室６００とをつなぐ冷凍室用帰還路（ここでは図３に示す排出口１９）内には同じく出口ダンパとして冷凍室用帰還路ダンパ１６が、野菜室４００と冷却器室６００とをつなぐ野菜室用帰還路７内には出口ダンパとして野菜室用帰還路ダンパ１７が、製氷室５００と冷却器室６００とをつなぐ製氷室用帰還９内には出口ダンパとして製氷室用帰還路ダンパ１８がそれぞれ設置されており、冷却器３の霜取り運転中にはそれぞれのダンパを閉じることにより、暖気の流入を防ぐことがきる。
【００１７】
さらに、冷蔵室１００には冷蔵室サーミスタ１０２が設置され、冷蔵室の温度を検知することができる。よって、経年劣化によりダンパが閉じないために、冷蔵室の温度が上昇したことを検知し、報知することができる。同様に、切替室２００には切替室サーミスタ２０２が、冷凍室３００には冷凍室サーミスタ３０２が、製氷室５００には製氷室サーミスタ５０２がそれぞれ設置されており、各貯蔵室の温度を検知することができ、経年劣化によりダンパが閉じないために、各貯蔵室の温度が上昇したことを検知し、報知することができる。なお、野菜室４００にも野菜室サーミスタ４０２が設置されているが、野菜室４００にはダンパは設けられていないので、野菜室サーミスタ４０２は野菜室４００の温度監視手段としてのみ使用される。
【００１８】
以上のように、冷却器３の霜取り運転中、暖気が発生する冷却器室６００と各貯蔵室をつなぐ風路、帰還路内の各ダンパを閉じることにより暖気の流入を防ぐことができる。なお、ダンパの閉じ方については、風路または帰還路が完全にふさがるように全て閉じてもよいし、一部がふさがるように、つまり一部の風路または一部の帰還路が完全にふさがらないように閉じてもよい。また、所定温度以下に設定された貯蔵室に対しては当該貯蔵室の入口ダンパおよび出口ダンパを全て閉じるようにすることにより、冷気および暖気の流入を防ぐことができる。
【００１９】
図５は、本発明の実施の形態１における冷蔵庫の冷気を供給するためのファン周辺を示す図である。冷却器室で生成した冷気を風路４を介して貯蔵室へ供給するための冷気送風用のファン２は、４方向に分岐する風路４の入口に設置されており、冷却器室で生成した冷気を効率よく貯蔵室へ供給することができる。その一方で、ファン２は冷却器室の上部に位置しているため、霜取り運転中、発生した暖気が最初に到達する部分であるということができる。本発明の実施の形態１では、このファン２にシャッター２１が設置されており、霜取り運転中、このシャッター２１を閉じることによって暖気が風路４に流入することを防ぐことができる。
【００２０】
図６は、本発明の実施の形態１における冷蔵庫の風路構成を示す冷蔵庫の概略側面断面図である。冷蔵室１００の天面に冷蔵室保冷剤１０３が設置されており、冷却器室６００から冷気の供給がない時にも冷蔵室１００を冷却することができる。同様に、切替室２００には切替室保冷剤２０３が、冷凍室３００には冷凍室保冷剤３０３が、野菜室４００には野菜室保冷剤４０３が、製氷室５００には製氷室保冷剤５０３がそれぞれ設置されており、冷却器室６００から冷気の供給がない時にも各貯蔵室を冷却することができる。
【００２１】
（実施の形態２）
以上の実施の形態１では、冷却器室と貯蔵室をつなぐ風路および帰還路に設けたダンパを、霜取り運転中に閉じて冷却器室からの暖気の流入を防ぐようにしたものであるが、次に冷却器室と貯蔵室をつなぐ風路に設けたダンパを、貯蔵室の温度により制御する実施の形態を示す。
図７は、本発明の実施の形態２における冷蔵庫の風路構成を示す正面全体図である。冷却器室６００と冷蔵室１００とをつなぐ風路４１内には、冷蔵室用風路ダンパ１１が設置されており、ダンパ１１の開度を調整することにより冷却器室６００から供給される冷気の流入量を調整することができる。同様に、冷却器室６００と切替室２００とをつなぐ風路４２内には、切替室用風路ダンパ１２が、冷却器室６００と冷凍室３００とをつなぐ風路４内には、冷凍室用風路ダンパ１３が、冷却器室６００と製氷室５００とをつなぐ風路４内には、製氷室用風路ダンパ１４がそれぞれ設置されており、これらのダンパの開度を調整することにより、それぞれ冷却器室６００から供給される冷気の流入量を調整することができる。
【００２２】
また、冷蔵室１００には冷蔵室サーミスタ１０２が設置され、冷蔵室の温度を検知することができるだけでなく、経年劣化によりダンパが閉じなくなるなどして冷蔵室１００の温度が設定温度より上昇したことを報知するための検知手段として使用することができる。同様に、切替室２００には切替室サーミスタ２０２が、冷凍室３００には冷凍室サーミスタ３０２が、製氷室５００には製氷室サーミスタ５０２がそれぞれ設置されており、各貯蔵室の温度を検知することができ、かつ、経年劣化によりダンパが閉じなくなるなどして冷蔵室１００の温度が設定温度より上昇したことを報知するための検知手段として使用することができる。
【００２３】
このような構成の冷蔵庫１において、霜取り運転中、貯蔵室１００、２００、３００、５００のそれぞれの設定温度より高い温度の空気が、冷却器室６００から風路４を介して貯蔵室１００、２００、３００、５００に流入してきたことをサーミスタ１０２、２０２、３０２、５０２により検知した場合には、冷却器室６００と貯蔵室１００、２００、３００、５００とをつなぐ風路４１、４２、４３、４４内に設置されたダンパ１１、１２、１３、１４の開度を調整することにより、貯蔵室１００、２００、３００、５００の設定温度より高い温度の空気が各貯蔵室内に流入することを防ぐことができる。
【００２４】
（実施の形態３）
次に、冷却器室と貯蔵室をつなぐ風路および帰還路に設けたダンパを、冷却器室の温度により制御する実施の形態を示す。
図８は、本発明の実施の形態３における冷蔵庫の風路構成を示す正面全体図である。冷却器室６００には冷却器室サーミスタ６０２が設置されており、冷却器室６００の温度を検知することができる。また、冷却器室６００と冷蔵室１００とをつなぐ風路４１内には、冷蔵室用風路ダンパ１１が設置されており、ダンパ１１の開度を調整することにより冷却器室６００から供給される冷気の流入量を調整することができる。同様に、冷却器室６００と切替室２００とをつなぐ風路４２内には、切替室用風路ダンパ１２が、冷却器室６００と冷凍室３００とをつなぐ風路４３内には、冷凍室用風路ダンパ１３が、冷却器室６００と製氷室５００とをつなぐ風路４４内には、製氷室用風路ダンパ１４がそれぞれ設置されており、これらのダンパの開度を調整することにより、それぞれ冷却器室６００から供給される冷気の流入量を調整することができる。
【００２５】
また、切替室２００と冷却器室６００とをつなぐ切替室用帰還路８内には切替室用帰還路ダンパ１５が設置されており、ダンパ１５の開度を調整することにより冷却器室６００への戻り空気の流出量を調整することができる。同様に、冷凍室３００と冷却器室６００とをつなぐ冷凍室用帰還路（図３に示す排出口１９）内には冷凍室用帰還路ダンパ１６が、野菜室４００と冷却器室６００とをつなぐ野菜室用帰還路７内には野菜室用帰還路ダンパ１７が、製氷室５００と冷却器室６００とをつなぐ製氷室用帰還９内には製氷室用帰還路ダンパ１８がそれぞれ設置されており、これらのダンパの開度を調整することにより、それぞれ冷却器室６００への戻り空気の流出量を調整することができる。
【００２６】
さらに、冷蔵室１００には冷蔵室サーミスタ１０２が設置され、冷蔵室の温度を検知することができるだけでなく、経年劣化によりダンパが閉じなくなるなどして冷蔵室１００の温度が設定温度より上昇したことを報知するための検知手段として使用することができる。同様に、切替室２００には切替室サーミスタ２０２が、冷凍室３００には冷凍室サーミスタ３０２が、製氷室５００には製氷室サーミスタ５０２がそれぞれ設置されており、各貯蔵室の温度を検知することができ、かつ、経年劣化によりダンパが閉じなくなるなどして冷蔵室１００の温度が設定温度より上昇したことを報知するための検知手段として使用することができる。
【００２７】
このような構成の冷蔵庫１において、冷却器室６００の温度が所定温度以上になったことを冷却器室サーミスタ６０２により検知した場合には、冷却器室６００と貯蔵室１００、２００、３００、５００とをつなぐ風路４１、４２、４３、４４内に設置された入口ダンパ１１、１２、１３、１４、および貯蔵室２００、３００、４００、５００と冷却器室をつなぐ帰還路７、３０３、８、９内に設置された出口ダンパ１５、１６、１７、１８を閉じることにより、貯蔵室１００、２００、３００、５００に所定温度以上の冷気が流入することを防ぐことができる。
【００２８】
また、冷却器室６００の温度が所定温度以下になったことを冷却器室サーミスタ６０２により検知した場合には、冷却器室６００と貯蔵室１００、２００、３００、５００とをつなぐ風路４１、４２、４３、４４内に設置された入口ダンパ１１、１２、１３、１４、および貯蔵室２００、３００、４００、５００と冷却器室をつなぐ帰還路７、３０３、８、９内に設置された出口ダンパ１５、１６、１７、１８を開けることにより、貯蔵室１００、２００、３００、５００に所定温度以下に冷却された冷気のみを流入することができる。
ここで所定温度とは、各貯蔵室の設定温度に依存するものである。
【００２９】
以上のように、冷却器室６００の温度によりダンパの開閉を制御することによって、貯蔵室内に暖気が流入することを防ぐだけでなく、貯蔵室に最適な冷気を供給することができるため、貯蔵室を効率よく冷却することが可能となる。
【００３０】
（実施の形態４）
次に、霜取りの手段によって冷却器室の温度上昇を抑制する実施の形態を示す。
図９は、本発明の実施の形態４における冷蔵庫の構造を示す側面断面図である。図９において、冷蔵庫１の食品貯蔵室は、最上部に開閉ドアを備えて配置される冷蔵室１００と、冷蔵室１００の下方に冷凍温度帯（設定温度−１８℃）から冷蔵、野菜、チルド、ソフト冷凍（設定温度−７℃）などの温度帯に切り替えることのできる引き出しドアを備える切替室２００、切替室２００と並列に引き出しドアを備える製氷室５００と、最下部に引き出しドアを備えて配置される冷凍室３００と、切替室２００と冷凍室３００との間に引き出しドアを備えて配置される野菜室４００等とから構成される。冷蔵庫１００の扉表面には、各室の温度や設定を調節する操作スイッチと、そのときの各室の温度を表示する液晶などから構成される操作パネル５が設けられている。
【００３１】
冷蔵庫１の背面側には、冷凍サイクルを構成する圧縮機１０及び冷却器３を収納する冷却器室６００が配置され、冷却器３により生成された冷気を冷蔵室１００や冷凍室２００に送風するためのファン２と、冷却器３により生成された冷気を各貯蔵室内に導入するための風路４とが設けられている。なお、切替室２００には、引き出し可能に設けられ上面が開放された切替ケース２０１が設置されており、そのケース内に食品を収容することができる。同様に、冷凍室３００には冷凍ケース３０１が、野菜室４００には野菜ケース４０１がそれぞれ設置されており、それぞれのケース内に食品を収容することができる。
【００３２】
さらに、冷却器３の下部には除霜手段を構成するマグネトロン２３が設置されており、このマグネトロン２３から発振されるマイクロ波によって冷却器３に付着した霜を除去することができる。マグネトロン２３を使用し霜取りを行うことによって、霜取りに要する時間を短縮することが可能となり、冷却器３の温度上昇を抑制することができる。また、霜取り終了後、冷却器温度が下がるまでの時間も短縮することが可能となる。
操作パネル５には計時部が設けられており、マグネトロン２３の総使用時間を記録することができ、マグネトロン２３の総使用時間が所定時間以上になった場合には使用者に報知することができる。
【００３３】
以上のように、マグネトロン２３を使用して霜取りを行うことにより、効率よく冷気を生成することが可能となるだけでなく、省エネにつなげることができる。
【００３４】
以上の実施の形態に示した構成により、本発明は、霜取り時に霜取りヒータなどによって暖められた冷却器近傍の空気が風路から貯蔵室へ流入することと、帰還路から貯蔵室へ流入することを防ぐことができ、貯蔵室の温度上昇を抑制することができるという効果がある。
また、上記のように、貯蔵室の温度上昇を抑制することによって、霜取り終了後、貯蔵室が冷却された時に生じる貯蔵室と食品の温度差、つまり蒸気圧差による食品からの水分昇華を抑制することができ、水分昇華に伴う食品の乾燥、酸化を防ぎ高品質に食品を保存することができる。
なお、本発明が適用される冷蔵庫は、必ずしも複数の貯蔵室を有するものに限られものではなく、貯蔵室が１つであってもよい。
【図面の簡単な説明】
【００３５】
【図１】図１（ａ）は、本発明により制御された冷蔵庫における貯蔵室および貯蔵室に保存した食品の温度変化を、図１（ｂ）は、従来制御の冷蔵庫における貯蔵室および貯蔵室に保存した食品の温度変化を示したグラフである。
【図２】本発明の実施の形態１における冷蔵庫の構造を示す側面断面図である。
【図３】本発明の実施の形態１における冷蔵庫の風路構成を示す冷蔵庫の概略側面断面図である。
【図４】本発明の実施の形態１における冷蔵庫の風路構成を示す正面全体図である。
【図５】本発明の実施の形態１における冷蔵庫の冷気を供給するためのファン周辺を示す図である。
【図６】本発明の実施の形態１における冷蔵庫の風路構成を示す冷蔵庫の概略側面断面図である。
【図７】本発明の実施の形態２における冷蔵庫の風路構成を示す正面全体図である。
【図８】本発明の実施の形態３における冷蔵庫の風路構成を示す正面全体図である。
【図９】本発明の実施の形態４における冷蔵庫の構造を示す側面断面図である。
【符号の説明】
【００３６】
１  冷蔵庫、２  ファン、３  冷却器、４  風路、５  操作パネル、６  冷蔵室用帰還路、７  野菜室用帰還路、８  切替室用帰還路、９  製氷室用帰還路、１０  圧縮機、１１  冷蔵室用風路ダンパ、１２  切替室用風路ダンパ、１３  冷凍室用風路ダンパ、１４  製氷室用風路ダンパ、１５  切替室用帰還路ダンパ、１６  冷凍室用帰還路ダンパ、１７  野菜室用帰還路ダンパ、１８  製氷室用帰還路ダンパ、１９  排出口、２１  シャッター、２２  除霜手段、２３  マグネトロン、４１  冷蔵室風路、４２  切替室風路、４３  冷凍室風路、４４  製氷室風路、１００  冷蔵室、１０２  冷蔵室サーミスタ、１０３  冷蔵室保冷剤、２００  切替室、２０１  切替ケース、２０２  切替室サーミスタ、２０３  切替室保冷剤、３００  冷凍室、３０１  冷凍ケース、３０２  冷凍室サーミスタ、３０３  冷凍室保冷剤、４００  野菜室、４０１  野菜ケース、４０３  野菜室保冷剤、５００  製氷室、５０２  製氷室サーミスタ、５０３  製氷室保冷剤、６００  冷却器室、６０２  冷却器室サーミスタ。
【図１】
2009250476.tif 000003
【図２】
2009250476.tif 000004
【図３】
2009250476.tif 000005
【図４】
2009250476.tif 000006
【図５】
2009250476.tif 000007
【図６】
2009250476.tif 000008
【図７】
2009250476.tif 000009
【図８】
2009250476.tif 000010
【図９】
2009250476.tif 000011